【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
入力無線周波数（ＲＦ）信号を受信するように構成された複数の増幅手段と、
少なくとも１つの相互接続手段に結合された前記複数の増幅手段のうちの少なくとも２つの出力を選択的に短絡させるように構成された前記少なくとも１つの相互接続手段と
を備え、
前記複数の増幅手段が、
前記入力ＲＦ信号を増幅するように構成された複数の利得手段と、
前記複数の利得手段に結合された複数の電流バッファ手段と
を備え、各増幅手段は、前記複数の増幅手段が前記入力ＲＦ信号を増幅し、複数の出力ＲＦ信号を与えるために有効にされたとき、前記複数の利得手段の各々からの電流の一部分を備える出力電流を与えるように構成された、装置。
【請求項２】
前記少なくとも１つの相互接続手段は、前記複数の増幅手段が有効にされたとき、前記複数の増幅器手段の出力を短絡させるように構成された、請求項１に記載の装置。
【請求項３】
前記少なくとも１つの相互接続手段は、前記複数の増幅手段が有効にされたとき、前記複数の利得手段の出力を短絡させるように構成された、請求項１に記載の装置。
【請求項４】
前記少なくとも１つの相互接続手段が、
前記複数の利得手段と前記複数の電流バッファ手段との間に結合された複数のカスコードトランジスタ
を備え、各カスコードトランジスタが、１つの増幅手段中の利得手段と別の増幅手段中の電流バッファ手段との間に結合され、前記複数の増幅手段が有効にされたとき、前記複数のカスコードトランジスタがオンにされる、請求項１に記載の装置。
【請求項５】
前記複数の増幅手段のうちの１つは、前記１つの増幅手段が有効にされたとき、前記入力ＲＦ信号を増幅し、出力ＲＦ信号を与えるように構成され、前記複数の増幅手段のうちの残りの増幅手段が無効にされる、請求項１に記載の装置。
【請求項６】
前記複数の増幅手段が第１および第２の増幅手段を備え、前記第１の増幅手段が第１の利得トランジスタと第１のカスコードトランジスタとを備え、前記第２の増幅手段が第２の利得トランジスタと第２のカスコードトランジスタとを備える、請求項１に記載の装置。
【請求項７】
前記少なくとも１つの相互接続手段が、前記第１のカスコードトランジスタのドレインと前記第２のカスコードトランジスタのドレインとの間に結合されたスイッチを備え、前記スイッチは、前記第１の増幅手段または前記第２の増幅手段のみが有効にされたときに開いており、前記第１の増幅手段と前記第２の増幅手段の両方が有効にされたときに閉じている、請求項６に記載の装置。
【請求項８】
前記スイッチが、
前記第１のカスコードトランジスタのドレインと中間ノードとの間に結合された第１のトランジスタと、
前記中間ノードと前記第２のカスコードトランジスタのドレインとの間に結合された第２のトランジスタと、
前記中間ノードと回路接地との間に結合された第３のトランジスタと
を備える、請求項７に記載の装置。
【請求項９】
前記スイッチが、
前記第１のカスコードトランジスタの前記ドレインと前記第２のカスコードトランジスタの前記ドレインとの間に結合されたトランジスタ
を備える、請求項７に記載の装置。
【請求項１０】
前記少なくとも１つの相互接続手段が、前記第１の利得トランジスタのドレインと前記第２の利得トランジスタのドレインとの間に結合されたキャパシタを備え、前記第１の増幅手段が有効にされたとき、前記第１のカスコードトランジスタがオンにされ、前記第２のカスコードトランジスタがオフにされ、前記第２の増幅手段が有効にされたとき、前記第２のカスコードトランジスタがオンにされ、前記第１のカスコードトランジスタがオフにされ、前記第１および第２の増幅手段が有効にされたとき、前記第１のカスコードトランジスタと前記第２のカスコードトランジスタの両方がオンにされる、請求項６に記載の装置。
【請求項１１】
前記少なくとも１つの相互接続手段が、
前記第１の利得トランジスタのドレインと前記第２のカスコードトランジスタのドレインとの間に結合された第３のカスコードトランジスタと、
前記第２の利得トランジスタのドレインと前記第１のカスコードトランジスタのドレインとの間に結合された第４のカスコードトランジスタと
を備え、前記第１の増幅手段と前記第２の増幅手段の両方が有効にされたとき、前記第３および第４のカスコードトランジスタがオンにされる、請求項６に記載の装置。
【請求項１２】
前記第１の増幅手段が有効にされたとき、前記第１のカスコードトランジスタのみがオンにされるか、または前記第１のカスコードトランジスタと前記第４のカスコードトランジスタの両方がオンにされる、請求項１１に記載の装置。
【請求項１３】
前記第１および第２の利得トランジスタのソースと回路接地との間に結合されたインダクタ
をさらに備える、請求項６に記載の装置。
【請求項１４】
前記第１の増幅手段に結合された第１のトランスフォーマを備える第１の負荷回路と、
前記第２の増幅手段に結合された第２のトランスフォーマを備える第２の負荷回路と
をさらに備える、請求項６に記載の装置。
【請求項１５】
複数の増幅器回路に入力無線周波数（ＲＦ）信号を印加することと、
前記入力ＲＦ信号を増幅し、少なくとも１つの出力ＲＦ信号を与えるために、前記複数の増幅器回路のうちの少なくとも１つを有効にすることと、
前記複数の増幅器回路が有効にされたとき、前記複数の増幅器回路の出力を短絡させることと
を備え、
前記複数の増幅器回路中の複数の利得回路を用いて前記入力ＲＦ信号を増幅することと、
前記複数の増幅器回路からの出力電流を与えることと
をさらに備え、前記入力ＲＦ信号を増幅し、複数の出力ＲＦ信号を与えるために、各増幅器回路からの出力電流が、前記複数の利得回路の各々からの電流の一部分を備える、方法。
【手続補正２】
【補正対象書類名】明細書
【補正対象項目名】００８２
【補正方法】変更
【補正の内容】
【００８２】
[0090]本開示についての以上の説明は、いかなる当業者も本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
入力無線周波数（ＲＦ）信号を受信するように構成された複数の増幅器回路と、
少なくとも１つの相互接続回路に結合された前記複数の増幅器回路のうちの少なくとも２つを短絡させるように構成された前記少なくとも１つの相互接続回路と
を備える装置。
［Ｃ２］
前記複数の増幅器回路が複数の利得回路と複数の電流バッファとを備え、各増幅器回路について、１つの利得回路と１つの電流バッファとである、Ｃ１に記載の装置。
［Ｃ３］
各増幅器回路は、前記複数の増幅器回路が、前記入力ＲＦ信号を増幅し、複数の出力ＲＦ信号を与えるために有効にされたとき、前記複数の利得回路の各々からの電流の一部分を備える出力電流を与えるように構成された、Ｃ２に記載の装置。
［Ｃ４］
前記少なくとも１つの相互接続回路は、前記複数の増幅器回路が有効にされたとき、前記複数の増幅器回路の出力を短絡させるように構成された、Ｃ１に記載の装置。
［Ｃ５］
前記少なくとも１つの相互接続回路は、前記複数の増幅器回路が有効にされたとき、前記複数の利得回路の出力を短絡させるように構成された、Ｃ２に記載の装置。
［Ｃ６］
前記少なくとも１つの相互接続回路が、
前記複数の利得回路と前記複数の電流バッファとの間に結合された複数のカスコードトランジスタ
を備え、各カスコードトランジスタが、１つの増幅器回路中の利得回路と別の増幅器回路中の電流バッファとの間に結合され、前記複数の増幅器回路が有効にされたとき、前記複数のカスコードトランジスタがオンにされる、Ｃ２に記載の装置。
［Ｃ７］
前記複数の増幅器回路のうちの１つは、前記１つの増幅器回路が有効にされたとき、前記入力ＲＦ信号を増幅し、出力ＲＦ信号を与えるように構成され、前記複数の増幅器回路のうちの残りの増幅器回路が無効にされる、Ｃ１に記載の装置。
［Ｃ８］
前記複数の増幅器回路が第１および第２の増幅器回路を備え、前記第１の増幅器回路が第１の利得トランジスタと第１のカスコードトランジスタとを備え、前記第２の増幅器回路が第２の利得トランジスタと第２のカスコードトランジスタとを備える、Ｃ１に記載の装置。
［Ｃ９］
前記少なくとも１つの相互接続回路が、前記第１のカスコードトランジスタのドレインと前記第２のカスコードトランジスタのドレインとの間に結合されたスイッチを備え、前記スイッチは、前記第１の増幅器回路または前記第２の増幅器回路のみが有効にされたときに開いており、前記第１の増幅器回路と前記第２の増幅器回路の両方が有効にされたときに閉じている、Ｃ８に記載の装置。
［Ｃ１０］
前記スイッチが、
前記第１のカスコードトランジスタのドレインと中間ノードとの間に結合された第１のトランジスタと、
前記中間ノードと前記第２のカスコードトランジスタのドレインとの間に結合された第２のトランジスタと、
前記中間ノードと回路接地との間に結合された第３のトランジスタと
を備える、Ｃ９に記載の装置。
［Ｃ１１］
前記スイッチが、
前記第１のカスコードトランジスタの前記ドレインと前記第２のカスコードトランジスタの前記ドレインとの間に結合されたトランジスタ
を備える、Ｃ９に記載の装置。
［Ｃ１２］
前記少なくとも１つの相互接続回路が、前記第１の利得トランジスタのドレインと前記第２の利得トランジスタのドレインとの間に結合されたキャパシタを備え、前記第１の増幅器回路が有効にされたとき、前記第１のカスコードトランジスタがオンにされ、前記第２のカスコードトランジスタがオフにされ、前記第２の増幅器回路が有効にされたとき、前記第２のカスコードトランジスタがオンにされ、前記第１のカスコードトランジスタがオフにされ、前記第１および第２の増幅器回路が有効にされたとき、前記第１のカスコードトランジスタと前記第２のカスコードトランジスタの両方がオンにされる、Ｃ８に記載の装置。
［Ｃ１３］
前記少なくとも１つの相互接続回路が、
前記第１の利得トランジスタのドレインと前記第２のカスコードトランジスタのドレインとの間に結合された第３のカスコードトランジスタと、
前記第２の利得トランジスタのドレインと前記第１のカスコードトランジスタのドレインとの間に結合された第４のカスコードトランジスタと
を備え、前記第１の増幅器回路と前記第２の増幅器回路の両方が有効にされたとき、前記第３および第４のカスコードトランジスタがオンにされる、Ｃ８に記載の装置。
［Ｃ１４］
前記第１の増幅器回路が有効にされたとき、前記第１のカスコードトランジスタのみがオンにされるか、または前記第１のカスコードトランジスタと前記第４のカスコードトランジスタの両方がオンにされる、Ｃ１３に記載の装置。
［Ｃ１５］
前記第１および第２の利得トランジスタのソースと回路接地との間に結合されたインダクタ
をさらに備える、Ｃ８に記載の装置。
［Ｃ１６］
前記第１の増幅器回路に結合された第１のトランスフォーマを備える第１の負荷回路と、
前記第２の増幅器回路に結合された第２のトランスフォーマを備える第２の負荷回路とをさらに備える、Ｃ８に記載の装置。
［Ｃ１７］
複数の増幅器回路に入力無線周波数（ＲＦ）信号を印加することと、
前記入力ＲＦ信号を増幅し、少なくとも１つの出力ＲＦ信号を与えるために、前記複数の増幅器回路のうちの少なくとも１つを有効にすることと、
前記複数の増幅器回路が有効にされたとき、前記複数の増幅器回路を短絡させることとを備える方法。
［Ｃ１８］
前記複数の増幅器回路中の複数の利得回路を用いて前記入力ＲＦ信号を増幅することと、
前記複数の増幅器回路からの出力電流を与えることと
をさらに備え、各増幅器回路からの出力電流が、前記複数の利得回路の各々からの電流の一部分を備える、Ｃ１７に記載の方法。
［Ｃ１９］
入力無線周波数（ＲＦ）信号を受信するように構成された複数の増幅手段と、
少なくとも１つの相互接続手段に結合された前記複数の増幅手段のうちの少なくとも２つを短絡させるように構成された前記少なくとも１つの相互接続手段と
を備える装置。
［Ｃ２０］
前記複数の増幅手段が、
前記入力ＲＦ信号を増幅するように構成された複数の利得手段と、
前記複数の利得手段に結合された複数のバッファ手段と
を備え、各増幅手段は、前記複数の増幅手段が有効にされたとき、前記複数の利得手段の各々からの電流の一部分を備える出力電流を与えるように構成された、Ｃ１９に記載の装置。